(57)【特許請求の範囲】
【請求項１】
魚釣りに用いる中空のルアーであって、
左右一対の半割部材を開口側で貼り合わせて形成され、内部にラトル収納部を有するルアー本体と、
前記ルアー本体のラトル収納部に収納されたラトルとを備え、
前記一方の半割部材の前記ラトル収納部部分と前記他方の半割部材の前記ラトル収納部部分とは互いに非対称に形成されているルアー。
【請求項２】
前記一方の半割部材のラトル収納部部分は、前記他方の半割部材のラトル収納部部分より肉厚に形成されている、請求項１に記載のルアー。
【請求項３】
前記一方の半割部材のラトル収納部部分にのみ、前記ルアー本体内方向に突出する突出部が形成されている、請求項１に記載のルアー。
【請求項４】
前記一方の半割部材のラトル収納部部分にのみ半割部材内側に金属板が配置されている、請求項１に記載のルアー。
【請求項５】
前記一方の半割部材のラトル収納部部分には前記ルアー本体内方向に先端が球状に突出する突出部が形成されており、前記他方の半割部材のラトル収納部部分には前記ルアー本体内方向に先端が鋭角に突出する突出部が形成されている、請求項１に記載のルアー。
【請求項６】
前記ラトルは複数の小球部材である、請求項１〜５のいずれかに記載のルアー。
【請求項７】
前記ルアー本体は外形を魚に似せて形成されており、前記ラトル収納部は前記ルアー本体の腹部付近に形成されている、請求項１〜６のいずれかに記載のルアー。
【発明の詳細な説明】
【０００１】
【発明の属する技術分野】
本発明は魚釣りに用いるルアー、特に、内部にラトルを有し泳動時にラトル音を発生するラトルルアーに関する。
【０００２】
【従来の技術】
従来のラトルルアーは、外形を魚に似せて形成され中空部を有するルアー本体と、ルアー本体の腹部付近に前記中空部の一部を区分けして形成されたラトル収納部と、ルアー本体の頭部付近に設けられ釣糸を係止可能な釣糸係止部と、ルアー本体の尾部付近及び腹部付近に連結されたフック（釣針）とを有している。そして、ラトル収納部には複数のラトルが収納されている。
【０００３】
この種のルアーのルアー本体は左右対称な一対の半割部材から形成されている。一対の半割部材にはそれぞれ予め左右対称なラトル収納部が形成されており、半割部材の一方に形成されたラトル収納部にラトルを詰め込んで、開口側で貼り合わせて、内部のラトル収納部にラトルを有するルアー本体を製造する。
このルアーは釣糸係止部に釣糸を係止した状態で水中にキャスティングされる。釣人がリトリーブすると、ルアーは水中を安定した状態で泳動し、複数のラトルは互いにぶつかりまたラトルがルアー本体内壁（ラトル収納部の内壁）に衝突して音を立てて魚の好奇心を高める。
【０００４】
【発明が解決しようとする課題】
従来のラトルルアーでは、発生するラトル音はラトル同士の衝突及びラトルとラトル収納部との衝突に起因するものであり、ルアー泳動時には同種のラトル音が続くことになる。このような単一のラトル音のみ発生させていた場合、次第に魚がそのラトル音に興味を示さなくなる恐れがある。
【０００５】
本発明の課題は、様々なラトル音を発生し魚の興味をかき立てるルアーを提供することにある。
【０００６】
【課題を解決するための手段】
発明１のルアーは、魚釣りに用いる中空のルアーであって、左右一対の半割部材を開口側で貼り合わせて形成され、内部にラトル収納部を有するルアー本体と、ルアー本体のラトル収納部に収納されたラトルとを備えている。そして、一方の半割部材のラトル収納部部分と他方の半割部材のラトル収納部部分とは互いに非対称に形成されている。
【０００７】
ルアーが水中泳動時に振動すると、ラトル収納部内のラトルがルアー本体を構成する半割部材のラトル収納部部分に接触してラトル音を発生する。一対の半割部材はラトル収納部部分において互いに非対称であり、一方の半割部材にラトルが接触した場合と他方の半割部材にラトルが接触した場合では、発生するラトル音が異なる。この結果、ルアーは泳動時に様々なラトル音を発生する。
【０００８】
発明２のルアーは、発明１のルアーであって、一方の半割部材のラトル収納部部分は、他方の半割部材のラトル収納部部分より肉厚に形成されている。
この場合には、一方の肉厚の半割部材のラトル収納部部分にラトルが接触した場合と他方の半割部材のラトル収納部部分にラトルが接触した場合とでは、発生する音が相違する。
【０００９】
発明３のルアーは、発明１のルアーであって、一方の半割部材のラトル収納部部分にのみルアー本体内方向に突出する突出部が形成されている。
この場合には、一方の突出部を有する半割部材のラトル収納部部分にラトルが接触した場合と他方の半割部材のラトル収納部部分にラトルが接触した場合とでは、発生するラトル音が相違する。
【００１０】
発明４のルアーは、発明１のルアーであって、一方の半割部材のラトル収納部部分にのみ半割部材内側に金属板が配置されている。
この場合には、一方の金属板が配置された半割部材のラトル収納部部分にラトルが接触した場合と他方の半割部材のラトル収納部部分にラトルが接触した場合とでは、発生するラトル音が相違する。
【００１１】
発明５のルアーは、発明１のルアーであって、一方の半割部材のラトル収納部部分にはルアー本体内方向に先端が球状に突出する突出部が形成されており、他方の半割部材のラトル収納部部分にはルアー本体内方向に先端が鋭角に突出する突出部が形成されている。
この場合には、一方の先端が球状の突出部を有する半割部材のラトル収納部部分にラトルが接触した場合と他方の先端が鋭角に突出する突出部を有する半割部材のラトル収納部部分にラトルが接触した場合とでは、発生するラトル音が相違する。
【００１２】
発明６のルアーは、発明１〜５のいずれかのルアーであって、ラトルは複数の小球部材である。
この場合には、小球部材であるラトル同士が接触すると共にラトル収納部内壁に小球部材が接触して様々なラトル音を発生する。
発明７のルアーは、発明１〜６のいずれかのルアーであって、ルアー本体は外形を魚に似せて形成されており、ラトル収納部はルアー本体の腹部付近に形成されている。
【００１３】
この場合には、ルアー本体腹部付近に形成されたラトル収納部に重心を集めることができるので、泳動姿勢がより安定する。
【００１４】
【発明の実施の形態】
［第１実施形態］
以下、本発明の第１実施形態について図面を参照しつつ説明する。
本発明の第１実施形態を採用したラトルルアーは、図１に示すように、外形を魚に似せて形成した中空のルアー本体１と、ルアー本体１の頭部付近に設けられ釣糸を係止可能な釣糸係止部２と、ルアー本体１の腹部底面付近及び尾部付近にそれぞれ設けられたアイ（止輪）３，４とを有している。そして、アイ３，４にはそれぞれスプリットリング５，６を介してフック（釣針）７，８が連結されている。また、ルアー本体１内部の中空の腹部付近の一部は区分けされてラトル収納部１０となっており、このラトル収納部１０内に複数のラトル１００が収納されている。ラトル１００は鉛や真鍮等からなる小球状部材である。
【００１５】
ルアー本体１は、中空の合成樹脂製部材であって、外周面には魚に似せて目や鱗の模様が塗装されている。図２に示すように、このルアー本体１は所定の形状に形成された左右一対の半割部材１１，１２を開口側の貼り合わせ面で貼り合わせて一体化して製造されている。そして、半割部材１１，１２のルアー本体１の腹部付近の一部が前述のラトル収納部１０を形成することになる。
【００１６】
このルアー本体１を構成する一方の半割部材１１及び他方の半割部材１２のラトル収納部部分１１ａ，１２ａを比較すると、一方の半割部材のラトル収納部部分１１ａより他方の半割部材のラトル収納部部分１２ａの方がその肉厚が厚く形成されている。半割部材のラトル収納部部分１１，１２ａの比は1：1.2〜1：2.5程度が好ましく、さらに好ましくは1：1.5〜1：2.0である。なお、図２においては他方の半割部材１２のラトル収納部部分側壁１２ａのみ肉厚に形成しているが、ラトル収納部１０の上壁をさらに肉厚に形成してもよい。
【００１７】
このルアーは以下のようにして製造する。所定の形状に形成した一方の半割部材１１に形成されたラトル収納部１０内にラトル１００を十分に配置し、釣糸係止部２，アイ３，４を貼り合わせ面の所定の位置に固定する。そして、他方の半割部材１２を貼り合わせて貼り合わせ面において接着し固定する。
このように構成されたルアーでは、ルアーが水中泳動時に振動すると、ラトル収納部１０内のラトル１００がルアー本体１を構成する半割部材１１，１２のラトル収納部部分１１ａ，１２ａに接触してラトル音を発生する。ここで、ラトル収納部部分１１ａにラトル１００が接触して発生するラトル音と、ラトル収納部部分１１ａに比べて肉厚のラトル収納部部分１２ａにラトル１００が接触して発生するラトル音は異なり、ルアーは泳動時の振動に応じて様々なラトル音を発生する。
【００１８】
［第２実施形態］
本発明の第２実施形態を採用したルアー本体１は、図３に示すように、左右一対の半割部材２１，２２を開口側の貼り合わせ面で貼り合わせて一体化して製造されている。そして、半割部材２１，２２のルアー本体１の腹部付近の一部が前述のラトル収納部１０を形成する。
【００１９】
このルアー本体１を構成する半割部材２２のラトル収納部部分２２ａには半割部材２２の内側に金属板２３が貼り付けられている。金属板２３は、例えば、アルミニウム，真鍮，ステンレス等からなる板状部材であって、その板厚は0.5〜2.0mm程度である。金属板２３は半割部材２２側のラトル収納部１０上面を覆うように配置してもよい。
【００２０】
なお、その他の構成は第１実施形態と同様である。
このように構成されたルアーでは、金属板２３が配置された半割部材２２のラトル収納部部分２２ａにラトル１００が接触した場合と金属板２３が配置されていない半割部材２１のラトル収納部部分２１ａにラトルが接触した場合とでは、発生するラトル音が相違し、ルアーは泳動時の振動に応じて様々なラトル音を発生する。
【００２１】
［第３実施形態］
本発明の第３実施形態を採用したルアー本体１は、図４に示すように、左右一対の半割部材３１，３２を開口側の貼り合わせ面で貼り合わせて一体化して製造されている。そして、半割部材３１，３２のルアー本体１の腹部付近の一部が前述のラトル収納部１０を形成する。
【００２２】
このルアー本体１を構成する半割部材３２のラトル収納部部分３２ａにはルアー本体１内方向に突出しその先端が球状に形成された突出部３２ｂが形成されている。突出部３２ｂは半割部材３２と一体的に形成される合成樹脂材である。その大きさはラトル収納部１０に収納されるラトル１００の大きさと同様乃至やや大きい程度が好ましい。この突出部３２ｂにさらに金属をコーティングしてもよい。
【００２３】
なお、その他の構成は第１実施形態と同様である。
このように構成されたルアーでは、半割部材３２の突出部３２ｂにラトルが接触した場合と半割部材３１のラトル収納部部分３１ａにラトルが接触した場合とでは、発生するラトル音が相違し、ルアーは泳動時の振動に応じて様々なラトル音を発生する。
【００２４】
［第４実施形態］
本発明の第４実施形態を採用したルアー本体１は、図５に示すように、左右一対の半割部材４１，４２を開口側の貼り合わせ面で貼り合わせて一体化して製造されている。そして、半割部材４１，４２のルアー本体１の腹部付近の一部が前述のラトル収納部１０を形成する。
【００２５】
このルアー本体１を構成する半割部材４１のラトル収納部部分４１ａにはルアー本体１内方向に突出しその先端が鋭角に突出するように形成された突出部４１ｂが形成されている。一方、半割部材４２のラトル収納部部分４２ａにはルアー本体１内方向に突出しその先端が球状に形成された突出部４２ｂが形成されている。これた突出部４１ｂ，４２ｂは半割部材４１，４２と一体的に形成される合成樹脂材である。
【００２６】
なお、その他の構成は第１実施形態と同様である。
このように構成されたルアーでは、先端が鋭角に突出する突出部４１ｂを有する半割部材４１のラトル収納部部分４１ａにラトル１００が接触した場合と、先端が球状の突出部４２ｂを有する半割部材４２のラトル収納部部分４１ａにラトル１００が接触した場合とでは、発生するラトル音が相違し、ルアーは泳動時の振動に応じて様々なラトル音を発生する。
【００２７】
［第５実施形態］
本発明の第５実施形態を採用したラトルルアーは、図６に示すように、外形を魚に似せて形成した中空のルアー本体１と、ルアー本体１の頭部下部付近に設けられ斜め下方に突出したリップ部Ｌと、リップ部Ｌ上に形成され釣糸を係止可能な釣糸係止部２と、ルアー本体１の腹部底面付近及び尾部付近にそれぞれ設けられたアイ（止輪）３，４とを有している。また、ルアー本体１内部の中空の腹部及び尾部付近の一部はそれぞれ区分けされてラトル収納部１０となっており、このラトル収納部１０内に金属球からなるラトル１００が収納されている。
【００２８】
ルアー本体１は、中空の合成樹脂製部材であって、外周面には魚に似せて目や鱗の模様が塗装されている。図７に示すように、このルアー本体１は所定の形状に形成された左右一対の半割部材５１，５２を開口側の貼り合わせ面で貼り合わせて一体化して製造されている。このルアー本体１を構成する半割部材５１のラトル収納部部分５１ａにはルアー本体１内方向に突出しその先端が鋭角に突出するように形成された突出部５１ｂが形成されている。一方、半割部材５２のラトル収納部部分５２ａにはルアー本体１内方向に突出した柱状で先端が平坦な突出部５２ｂが形成されている。これた突出部５１ｂ，５２ｂは半割部材５１，５２と一体的に形成される合成樹脂材である。
【００２９】
なお、その他の構成は第１実施形態と同様である。
このように構成されたルアーでは、先端が鋭角に突出する突出部５１ｂを有する半割部材５１のラトル収納部部分５１ａにラトル１００が接触した場合と、柱状で先端が平坦な突出部５２ｂを有する半割部材５２のラトル収納部部分５１ａにラトル１００が接触した場合とでは、発生するラトル音が相違し、ルアーは泳動時の振動に応じて様々なラトル音を発生する。
【００３０】
［他の実施形態］
（ａ）ラトルは小球状のものに限定されるものではない。
（ｂ）ラトル収納部以外のルアー本体内に錘を配置してもよい。
【００３１】
【発明の効果】
本発明に係るルアーによれば、泳動時に様々なラトル音を発生させることができる。
【図面の簡単な説明】
【図１】本発明の第１実施形態を採用したルアーの全体図。
【図２】図１のII−II断面図。
【図３】本発明の第２実施形態を採用したルアーの断面図。
【図４】本発明の第３実施形態を採用したルアーの断面図。
【図５】本発明の第４実施形態を採用したルアーの断面図。
【図６】本発明の第５実施形態を採用したルアーの全体図。
【図７】図６のVII−VII断面図。
【符号の説明】
１  ルアー本体
１１，１２  半割部材
２  釣糸係止部
３，４  アイ
５，６  スプリットリング
７，８  フック
１０  ラトル収納部
２３  金属板
３２ｂ，４１ｂ，４２ｂ  突出部
１００  ラトル
【図１】
0004128313.tif 000002
【図２】
0004128313.tif 000003
【図３】
0004128313.tif 000004
【図４】
0004128313.tif 000005
【図５】
0004128313.tif 000006
【図６】
0004128313.tif 000007
【図７】
0004128313.tif 000008